(57)【要約】【課題】キャビネットなどの設置対象物を所望の位置に体裁良く位置決め固定することができ、しかも各種物品や機器類の配置や移動に支障を生じるといった不具合も適切に抑制し得る位置決め固定具を提供する。【解決手段】床面９からその上方に起立した形態となるように床面９に固定部材６を用いて固定することが可能であり、かつ設置対象物８の下部に設けられた下向き開口状の孔部８１に進入させるための固定具本体部１と、この固定具本体部１から分離除去させることが可能に固定具本体部１に連設され、かつ固定具本体部１が固定部材６を用いて床面に固定されていない状態において、固定具本体部１を前記形態となるように床面９に仮固定するための仮固定用補助部２と、を備えている。【選択図】  図３
2017063932.tif 000002
【特許請求の範囲】
【請求項１】
設置対象物を床面に位置決め固定するための位置決め固定具であって、
前記床面からその上方に起立した形態となるように前記床面に固定部材を用いて固定することが可能であり、かつ前記設置対象物の下部に設けられた下向き開口状の孔部に進入させるための固定具本体部と、
この固定具本体部から分離除去させることが可能に前記固定具本体部に連設されており、かつ前記固定具本体部が前記固定部材を用いて前記床面に固定されていない状態において、前記固定具本体部を前記形態となるように前記床面に仮固定するための仮固定用補助部と、
を備えていることを特徴とする、位置決め固定具。
【請求項２】
請求項１に記載の位置決め固定具であって、
前記固定具本体部は、前記仮固定用補助部よりも上方に突出したボス状であり、かつ前記固定部材としてのネジ体、釘またはステープルの一部を挿入させることが可能な固定部材挿入用の孔部を有している、位置決め固定具。
【請求項３】
請求項１または２に記載の位置決め固定具であって、
前記固定具本体部と前記仮固定用補助部とは、連結部を介して繋がっており、かつこの連結部を切断することによって前記仮固定用補助部を前記固定具本体部から分離除去可能とされている、位置決め固定具。
【請求項４】
請求項３に記載の位置決め固定具であって、
前記仮固定用補助部は、前記固定具本体部の下部との間に開口部が形成されるようにして前記下部の周囲を囲む平面視リング状、または一部切欠きリング状であり、
前記連結部は、前記仮固定用補助部と前記固定具本体部とを部分的に橋渡しするように設けられている、位置決め固定具。
【請求項５】
請求項１ないし４のいずれかに記載の位置決め固定具であって、
前記仮固定用補助部の裏面には、粘着剤層が設けられており、かつ前記床面への前記固定具本体部の仮固定は、前記粘着剤層を利用して前記仮固定用補助部を前記床面に接着させることにより行なうことが可能とされている、位置決め固定具。
【請求項６】
請求項１ないし５のいずれかに記載の位置決め固定具であって、
前記固定具本体部を前記設置対象物の下向き開口状の孔部に進入させた際に、前記固定具本体部が前記設置対象物に保持されてその落下が防止されるように、前記仮固定用補助部を前記設置対象物に仮接着させるための追加の粘着剤層をさらに備えた構成とされ、または前記固定具本体部が前記下向き開口状の孔部の内周面に接触して落下防止用の摩擦力が発生する構成とされている、位置決め固定具。
【請求項７】
床面上に設置される設置対象物と、
請求項１ないし６のいずれかに記載の位置決め固定具と、
を備えており、
前記設置対象物の下部には、前記位置決め固定具の固定具本体部を下方から進入させることが可能な下向き開口状の孔部が設けられていることを特徴とする、位置決め固定具と設置対象物との組み合わせ。
【発明の詳細な説明】
【技術分野】
【０００１】
本発明は、たとえば台所や洗面所などの床面上にキャビネットなどの所望の設置対象物を設置する場合に用いられる位置決め固定具、およびこの位置決め固定具と設置対象物との組み合わせに関する。
【背景技術】
【０００２】
たとえば、台所の床面上にオープン仕様のキャビネットを固定設置するような場合には、Ｌ型金具が用いられる場合が多い。この場合、Ｌ型金具の上部起立部をキャビネットの下部の側面部にビス止めし、かつＬ型金具の下部水平部を台所の床面にビス止めすることとなる。このような手段によれば、比較的簡易な作業によって、キャビネットを床面上に固定することが可能である。
【０００３】
しかしながら、前記した手段においては、次のように、改善すべき余地がある。
すなわち、Ｌ型金具を利用した場合には、キャビネットの下部の側面部からＬ型金具がはみ出した格好となる。このため、Ｌ型金具が見えてしまい、体裁が悪くなる。これでは、たとえばキャビネットが高級仕様とされていたとしても、Ｌ型金具の存在がキャビネットの見栄えを悪くし、高級感が損なわれるといった虞が生じる。
また、Ｌ型金具がキャビネットからはみ出していると、キャビネットの横に物を置く際に、Ｌ型金具が邪魔になるといった事態も生じる。さらには、ワゴン式のゴミ箱や、その他の様々な物品や機器類をキャビネット周りで移動させる際に、これらがＬ型金具に引っ掛かるなど、移動の妨げになるといった虞も生じる。したがって、このようなことは、適切に解消されることが望まれる。
【先行技術文献】
【特許文献】
【０００４】
【特許文献１】特開昭６１−８２７０７号公報
【特許文献２】特開２００８−２４５９１２号公報
【特許文献３】特開２００８−１８８２２４号公報
【発明の概要】
【発明が解決しようとする課題】
【０００５】
本発明は、前記したような事情のもとで考え出されたものであり、キャビネットなどの設置対象物を所望の位置に体裁良く位置決め固定することができ、しかも各種物品や機器類の配置や移動に支障を生じるといった不具合も適切に抑制し得る位置決め固定具、および位置決め固定具と設置対象物との組み合わせを提供することを、その課題としている。
【課題を解決するための手段】
【０００６】
上記の課題を解決するため、本発明では、次の技術的手段を講じている。
【０００７】
本発明の第１の側面により提供される位置決め固定具は、設置対象物を床面に位置決め固定するための位置決め固定具であって、前記床面からその上方に起立した形態となるように前記床面に固定部材を用いて固定することが可能であり、かつ前記設置対象物の下部に設けられた下向き開口状の孔部に進入させるための固定具本体部と、この固定具本体部から分離除去させることが可能に前記固定具本体部に連設されており、かつ前記固定具本体部が前記固定部材を用いて前記床面に固定されていない状態において、前記固定具本体部を前記形態となるように前記床面に仮固定するための仮固定用補助部と、を備えていることを特徴としている。
【０００８】
このような構成の位置決め固定具は、次のような手順でキャビネットなどの設置対象物の位置決め固定を図るのに用いることができる。
まず、位置決め固定具の固定具本体部を設置対象物の下部の下向き開口状の孔部に進入させ、かつこの状態のまま設置対象物を床面上の所望の箇所へ配置し、仮固定用補助部を床面に仮固定する。次いで、設置対象物を持ち上げて他の箇所へ仮置きする一方、床面に仮固定されている位置決め固定具を、ビスなどの固定部材を用いて床面に固定（本固定）する。その後は、仮固定用補助部を固定具本体部から分離除去するとともに、設置対象物を固定具本体部の上方に移動させて床面上に下降させていく。その際には、固定具本体部が、設置対象物の下向き開口状の孔部に再度進入するように設定する。このことにより、設置対象物の位置決め固定が図られる（設置対象物を上昇させることは可能）。
【０００９】
本発明によれば、次のような効果が得られる。
すなわち、位置決め固定具を床面に一時的に仮固定しておくための仮固定用補助部は、固定具本体部から分離除去し、設置対象物の最終的な設置状態においては、不使用状態とすることができるため、この仮固定用補助部が不体裁に見えることはない。また、位置決め固定具の固定具本体部は、設置対象物の孔部に進入した状態とされるため、この固定具本体部が設置対象物からその側方にはみ出すようなことはなく、かつ不体裁な状態に見えないようにすることが可能である。したがって、従来のＬ型金具を用いる場合とは異なり、設置対象物を所望の位置へ体裁良く設置することができるとともに、各種の物品や機器を設置対象物に近い位置に置いたり、あるいは移動させるような際に、それらの物品や機器類が位置決め固定具に接触するなどして、不便を生じるといったことも適切に抑制することが可能となる。
【００１０】
本発明において、好ましくは、前記固定具本体部は、前記仮固定用補助部よりも上方に突出したボス状であり、かつ前記固定部材としてのネジ体、釘またはステープルの一部を挿入させることが可能な固定部材挿入用の孔部を有している。
【００１１】
このような構成によれば、ボス状の固定具本体部をネジ体などの固定部材を利用して床面の所定位置に容易に固定することができる。
【００１２】
本発明において、好ましくは、前記固定具本体部と前記仮固定用補助部とは、連結部を介して繋がっており、かつこの連結部を切断することによって前記仮固定用補助部を前記固定具本体部から分離除去可能とされている。
【００１３】
このような構成によれば、仮固定用補助部を固定具本体部から分離除去する作業を容易にすることができる。
【００１４】
本発明において、好ましくは、前記仮固定用補助部は、前記固定具本体部の下部との間に開口部が形成されるようにして前記下部の周囲を囲む平面視リング状、または一部切欠きリング状であり、前記連結部は、前記仮固定用補助部と前記固定具本体部とを部分的に橋渡しするように設けられている。
【００１５】
このような構成によれば、仮固定用補助部が固定具本体部の下部の周囲を囲む形態とされているために、仮固定用補助部を床面に仮固定した際に、固定具本体部を安定させることができ、ネジ体などの固定部材を利用して固定具本体部を床面に固定する作業を容易に行なうことが可能となる。また、その後に固定具本体部から仮固定用補助部を分離除去するには、連結部を切断するが、連結部が前記した橋渡し状であれば、その切断作業も容易となる。さらに、仮固定用補助部が固定具本体部の周囲を囲む形態であれば、連結部の切断後において仮固定用補助部を固定具本体部の周囲から取り去る作業も容易に行なえるこ
ととなる。
【００１６】
本発明において、好ましくは、前記仮固定用補助部の裏面には、粘着剤層が設けられており、かつ前記床面への前記固定具本体部の仮固定は、前記粘着剤層を利用して前記仮固定用補助部を前記床面に接着させることにより行なうことが可能とされている。
【００１７】
このような構成によれば、仮固定用補助部を床面の所望の位置に仮固定する作業が、容易かつ迅速に行なえることとなり、設置対象物の設置作業性を良くするのに一層好ましい。
【００１８】
本発明において、好ましくは、前記固定具本体部を前記設置対象物の下向き開口状の孔部に進入させた際に、前記固定具本体部が前記設置対象物に保持されてその落下が防止されるように、前記仮固定用補助部を前記設置対象物に仮接着させるための追加の粘着剤層をさらに備えた構成とされ、または前記固定具本体部が前記下向き開口状の孔部の内周面に接触して落下防止用の摩擦力が発生する構成とされている。
【００１９】
このような構成によれば、位置決め固定具の固定具本体部を設置対象物の下向き開口状の孔部に進入させた際に、位置決め固定具を設置対象物から脱落しないように設置対象物に保持させることが容易に実現できる。したがって、設置対象物の設置作業の作業性をより良好なものとすることができる。
【００２０】
本発明の第２の側面により提供される位置決め固定具と設置対象物との組み合わせは、床面上に設置される設置対象物と、本発明の第１の側面により提供される位置決め固定具と、を備えており、前記設置対象物の下部には、前記位置決め固定具の固定具本体部を下方から進入させることが可能な下向き開口状の孔部が設けられていることを特徴としている。
【００２１】
このような構成によれば、本発明の第１の側面により提供される位置決め固定具について述べたのと同様な効果が得られる。
【００２２】
本発明のその他の特徴および利点は、添付図面を参照して以下に行なう発明の実施の形態の説明から、より明らかになるであろう。
【図面の簡単な説明】
【００２３】
【図１】（ａ）は、本発明に係る位置決め固定具の一例を示す上面側斜視図であり、（ｂ）は、その底面側斜視図であり、（ｃ）は、（ａ）のIc−Ic断面図である。
【図２】（ａ）は、図１に示す位置決め固定具と設置対象物としてのキャビネットとの組み合わせの例を示す斜視図であり、（ｂ）は、（ａ）のIIb部の拡大斜視図である。
【図３】（ａ）〜（ｆ）は、図２に示すキャビネットの位置作業工程の一例を示す要部断面図である。
【図４】（ａ）は、図３の作業工程を経て床面上にキャビネットが固定設置された例を示す斜視図であり、（ｂ）は、（ａ）のIVb−IVb断面図である。
【図５】本発明の他の例を示す要部断面図である。
【図６】本発明の他の例を示す要部断面図である。
【図７】本発明の他の例を示す要部断面図である。
【発明を実施するための形態】
【００２４】
以下、本発明の好ましい実施の形態について、図面を参照して具体的に説明する。
【００２５】
図１に示す位置決め固定具Ａは、固定具本体部１、仮固定用補助部２、および連結部３
を備えており、これらの部分は樹脂により一体成形されている。この位置決め固定具Ａは、たとえば図２に示す台所用のキャビネット８を、台所の床面９（図３および図４に示す）上の所定箇所に位置決め固定するのに用いられる。キャビネット８は、本発明でいう設置対象物の一例である。なお、固定具Ａは、樹脂製に限らず金属製でも良い。
【００２６】
固定具本体部１は、図２に示すキャビネット８の側板部８０の下部に設けられた下向き開口状の孔部８１に進入させるための部分であり、仮固定用補助部２よりも上方に突出したボス状である。この固定具本体部１は、たとえば略円筒状であり、図３（ｅ）などを参照して後述するネジ体６を挿入させるためのネジ体挿入用の孔部１０が上下高さ方向に貫通して設けられた構成である。
【００２７】
仮固定用補助部２は、位置決め固定具Ａを床面９からその上方に起立した形態となるように床面９に仮固定するための部分であり、固定具本体部１の下部との間に複数（図面では２つ）の開口部３０が形成されるようにして固定具本体部１の下部の周囲を囲む平面視リング状、または一部切欠きリング状に形成されている。この仮固定用補助部２の下面部および上面部には、図１（ｃ）に示すように、粘着剤層４および追加の粘着剤層５が設けられ、これらの部分は離型フィルム４０，５０によって覆われている（図１（ａ），（ｂ）では省略）。粘着剤層４は、仮固定用補助部２を床面９に接着させるための部位である。追加の粘着剤層５は、仮固定用補助部２をキャビネット８の下面部に接着させるための部位である。粘着剤層４の接着力は、追加の粘着剤層５の接着力よりも強くされている。このための手段としては、たとえば粘着剤層４の面積を追加の粘着剤層５の面積よりも大きくするといった手段を採用することができる。勿論、粘着剤層４と追加の粘着剤層５との成分を相違させるといった他の手段を採用することもできる。粘着剤層４および追加の粘着剤層５を設けるための手段としては、仮固定用補助部２に粘着剤を直接塗布する手段に代えて、両面接着テープを貼付する手段を用いることができる。
【００２８】
連結部３は、仮固定用補助部２と固定具本体部１とを繋ぐ部分であり、仮固定用補助部２の内周縁部と固定具本体部１の下部外周面部分とを部分的に橋渡しする比較的細幅状の部分として形成されている。この連結部３をカッタあるいはその他の工具を用いて切断することにより、仮固定用補助部２を固定具本体部１から分離除去することが可能である。連結部３の切断を容易にするための手段として、連結部３の一部を他の部分よりも薄肉状あるいは細幅状に形成するといった手段を採用することもできる。薄肉状に形成する場合、連結部３が床面９から浮くように形成すると、さらに切断が容易になる。
【００２９】
次に、前記した位置決め固定具Ａを利用して、図２に示すキャビネット８を床面９上の所定位置に固定設置する場合の一例について説明する。
【００３０】
まず、キャビネット８の側板部８０の下部に設けられている孔部８１に対し、位置決め固定具Ａの固定具本体部１を進入させる。その際には、図３（ａ）に示すように、離型フィルム５０を予め剥離しておき、追加の粘着剤層５を利用して仮固定用補助部２を側板部８０下面に接着させる。このことにより、位置決め固定具Ａの落下を防止し、孔部８１に固定具本体部１が進入した状態を適切に維持することができる。
【００３１】
次いで、図３（ｂ），（ｃ）に示すように、離型フィルム４０を剥離した状態で、キャビネット８を床面９上の設置箇所に一旦載置し、その後は同図（ｄ）に示すように、キャビネット８を再度上昇させ、設置対象箇所から一時的に退避させる。このことにより、仮固定用補助部２は粘着剤層４を介して床面９に接着し、位置決め固定具Ａの仮固定が図られる。既述したように、粘着剤層４は追加の粘着剤層５よりも粘着力が強くされているため、キャビネット８を上昇させた際に、位置決め固定具Ａがキャビネット８に接着したまま持ち上げられるようなことはない。
【００３２】
その後は、図３（ｅ）に示すように、ビスなどのネジ体６（本発明でいう固定部材の一例に相当）を利用し、固定具本体部１を床面９に固定（本固定）させる。また、この作業後には、同図（ｆ）に示すように、固定具本体部１から仮固定用補助部２を分離除去した後に、キャビネット８を設置箇所上に再移動させ、固定具本体部１の上方から床面９上に下降させる。ただし、その際には図４に示すように、キャビネット８の孔部８１に、固定具本体部１を進入させる。この進入を容易にするための手段として、固定具本体部１の上部を先細状に形成するといった手段を採用することができる。
【００３３】
図４に示したキャビネット８の設置状態においては、キャビネット８の水平方向への移動が、固定具本体部１によって規制されることとなり、キャビネット８を、図３（ｂ），（ｃ）の作業によって予め定めた位置に正確に位置決め固定することが可能である。図４（ａ）および図２（ａ）においては、キャビネット８に計４箇所の孔部８１が設けられている例を示しているが、孔部８１の具体的な数はこれに限定されないことは勿論である。
【００３４】
図４に示した構造においては、仮固定用補助部２が分離除去された状態の固定具本体部１が、キャビネット８の孔部８１に進入しているため、固定具本体部１が外部から不体裁な状態に見えない。したがって、キャビネット８を体裁良く設置することが可能である。また、固定具本体部１は、キャビネット８の側方にはみ出していないため、ゴミ箱などの各種の物品や機器類をキャビネット８に近い位置に置いたり、あるいは近い位置で移動させる際に、前記物品や機器類が固定具本体部１に不当に接触するようなことも無い。
【００３５】
図５〜図７は、本発明の他の実施形態を示している。これらの図において、前記実施形態と同一または類似の要素には、前記実施形態と同一の符号を付すこととし、重複説明は省略する。
【００３６】
図５に示す位置決め固定具Ａａにおいては、たとえば固定具本体部１のうち、一部分１１の外径Ｄａまたは幅が、他の部分の外径Ｄｂまたは幅よりも大きくされている。固定具本体部１をキャビネット８の孔部８１に進入させた際には、前記の一部分１１が孔部８１の内周面に接触し、固定具本体部１の落下防止が図られる適度な摩擦力を生じる構成となっている。
【００３７】
本実施形態によれば、前記実施形態における追加の粘着剤層５を設ける必要がなくなる。したがって、位置決め固定具Ａａの製造コストを低減することができる。また、キャビネット８の設置作業時において、追加の粘着剤層５を覆う離型フィルム５０を剥離除去する手間を無くし、作業性をより良好なものとすることも可能である。
本実施形態においては、固定具本体部１の一部分１１のみが孔部８１の内周面に接触し、かつ他の部分については孔部８１の内周面との間に微小隙間を生じるように構成されているが、本発明はこれに限定されず、固定具本体部１の略全長域が孔部８１の内周面と接触するように構成することもできる。
【００３８】
図６に示す位置決め固定具Ａｂにおいては、仮固定用補助部２の一部分の長さＬａが、位置規制用の所定寸法に規定されている。すなわち、本実施形態では、位置決め固定具Ａｂを、床面９の所定箇所に仮固定する場合において、仮固定用補助部２の前記一部分の端部を、たとえば壁面９０に当接させることにより、位置決め固定具Ａｂおよびキャビネット８を壁面９０から所望の寸法だけ離間した位置に設定できるようにされている。長さＬａとして複数の寸法が設定できるように、仮固定用補助部２の表面にカット位置をマーキングしておき、現場で仮固定用補助部２を所望の長さに切断できる構成としても良い。
本実施形態から理解されるように、仮固定用補助部２をキャビネット８の位置決め用の部材として用いることも可能である。
【００３９】
図７に示す実施形態においては、キャビネット８の側板部８０の下部に水平板部８２が設けられており、この水平板部８２に孔部８１が設けられている。この孔部８１は、水平板部８２を上下高さ方向に貫通しているが、本発明でいう下向き開口状の孔部に相当する。このような孔部８１に対して固定具本体部１を進入させた際には、固定具本体部１の一部が外部から見える可能性はあるが、固定具本体部１がキャビネット８の側方に大きくはみ出すようなことはないため、従来技術と比較すると優れた利点が得られる。したがって、図７に示すような使用態様であっても、本発明の技術的範囲に包摂される。
【００４０】
本発明は、上述した実施形態の内容に限定されない。本発明に係る位置決め固定具、およびこの位置決め固定具と設置対象物との組み合わせの各部の具体的な構成は、本発明の意図する範囲内において種々に設計変更自在である。
【００４１】
固定具本体部は、略円筒状あるいは略円柱状に限らず、たとえば矩形筒状または矩形柱状などの他の形態とすることが可能であり、要は、床面からその上方に起立した形態となるように床面に固定部材を用いて固定可能であって、設置対象物の下部の下向き開口状の孔部に進入可能な構成であればよい。固定部材としては、ビスなどのネジ体に限らず、釘やステープル（針）を用いることも可能である。
【００４２】
仮固定用補助部は、円形リング状、または一部切欠き円形リング状に限らず、他の形状に形成することが可能であり、要は、固定具本体部から分離除去可能なように固定具本体部に連設され、かつ固定具本体部を床面からその上方に起立した形態となるように床面に仮固定させ得る機能を有していればよい。仮固定手段としては、仮固定用補助部に粘着剤層を予め設けておく手段に代えて、たとえば位置決め固定具の使用時において仮固定用補助部の下面に接着剤を作業者が塗布する手段、床面に食い込ませるための突起を仮固定用補助部に予め設けておく手段、あるいはタッカなどを利用してステープルを仮固定用補助部に打ち込む手段などを採用することも可能である。
【００４３】
設置対象物は、台所用のキャビネットに限らず、洗面所用のキャビネットなどの各種のキャビネットを始めとして、各種のテーブルなどの家具類や、電器機器類なども設置対象物とすることが可能であり、その具体的な種類は問わない。設置対象物の下部には、位置決め固定具の固定具本体部を進入させるための下向き開口状の孔部を設ける必要があるが、その具体的な数、形状、サイズなども限定されない。
【符号の説明】
【００４４】
Ａ  Ａａ，Ａｂ  位置決め固定具
１  固定具本体部
１０  ネジ体挿通用の孔部（固定部材挿入用の孔部）
２  仮固定用補助部
３  連結部
３０  開口部
４  粘着剤層
５  追加の粘着剤層
６  ネジ体（固定部材）
８  キャビネット（設置対象物）
８１  孔部（下向き開口状の）
９  床面
【図１】
2017063932.tif 000003
【図２】
2017063932.tif 000004
【図３】
2017063932.tif 000005
【図４】
2017063932.tif 000006
【図５】
2017063932.tif 000007
【図６】
2017063932.tif 000008
【図７】
2017063932.tif 000009